(57)【要約】【課題】電子機器側コネクタの保護を図るとともに、電子機器の美観を向上させる。【解決手段】収容凹部８０はビデオカメラ１００のケース１０２の上面１０２Ｃの後部寄り箇所に設けられ、電子機器側コネクタ１０は、収容凹部８０に収容されている。蓋体９０は、その外面９００２がケース１０２の上面１０２Ｃと連続状に延在し収容凹部８０を閉塞する閉塞状態と、支軸９２が結合部８２内において抜ける方向に移動し蓋体９０が支軸９２を中心にして１８０度旋回して収容凹部８０に隣接する上面１０２Ｃ上に位置し収容凹部８０を開放する開放状態とをとるように構成されている。【選択図】図６
2006179393.tif 000002
【特許請求の範囲】
【請求項１】
外装を構成するケースと、前記ケースに設けられ電源用または信号授受用の接片を有する電子機器側コネクタとを有する電子機器であって、
前記ケースに前記電子機器側コネクタを収容する収容凹部が設けられ、
前記収容凹部に前記電子機器側コネクタが収容され、
前記収容凹部を開閉する蓋体が設けられている、
ことを特徴とする電子機器。
【請求項２】
前記蓋体は前記ケースに取り外し不能に取着されていることを特徴とする請求項１記載の電子機器。
【請求項３】
前記蓋体は、その外面が前記ケースと連続状に延在し前記収容凹部を閉塞する閉塞状態と、前記蓋体が前記収容凹部と反対の方向で前記ケース上に位置し前記収容凹部を開放する開放状態とをとるように構成されていることを特徴とする特徴とする請求項１記載の電子機器。
【請求項４】
前記蓋体は長さを有し、前記蓋体の裏面で前記長さ方向の一端に支軸が突設されるとともに、長さ方向の他端に係合爪が突設され、前記支軸は回転可能かつ該支軸の長さ方向に移動可能かつ該支軸の長さ方向に抜落不能に前記ケースの結合部に結合され、前記係合爪は前記収容凹部内の係合部に係脱可能に形成されていることを特徴とする請求項１記載の電子機器。
【請求項５】
前記蓋体は長さを有し、前記蓋体の裏面で前記長さ方向の一端に支軸が突設されるとともに、長さ方向の他端に係合爪が突設され、前記支軸は回転可能かつ該支軸の長さ方向に移動可能かつ該支軸の長さ方向に抜落不能に前記ケースの結合部に結合され、前記係合爪は前記収容凹部内の係合部に係脱可能に形成され、前記蓋体は、その外面が前記ケースと連続状に延在し前記収容凹部を閉塞する閉塞状態と、前記支軸が前記結合部内において抜ける方向に移動し前記蓋体が前記支軸を中心にして１８０度旋回して前記収容凹部に隣接する前記ケースの箇所上に位置し前記収容凹部を開放する開放状態とをとるように構成されていることを特徴とする特徴とする請求項１記載の電子機器。
【請求項６】
前記蓋体は、前記収容凹部を閉塞する閉塞状態と、前記蓋体が前記収容凹部と反対の方向で前記ケース上に位置し前記収容凹部を開放する開放状態とをとるように構成され、前記ケースには前記収容凹部の周囲に、前記閉塞状態で前記蓋体を収容しその外面を前記ケースと連続状に延在させる蓋体収容用の凹部が設けられていることを特徴とする請求項１記載の電子機器。
【請求項７】
前記蓋体は、前記収容凹部を閉塞する閉塞状態と、前記蓋体が前記収容凹部と反対の方向で前記ケース上に位置し前記収容凹部を開放する開放状態とをとるように構成され、前記ケースには前記収容凹部の周囲に、前記閉塞状態で前記蓋体を収容しその外面を前記ケースと連続状に延在させる蓋体収容用の凹部が設けられ、前記蓋体は長さを有し、前記閉塞状態で、前記蓋体の長さ方向の一端と、前記蓋体収容用の凹部を構成する側面との間に、前記蓋体の長さ方向の一端に指先を掛け前記蓋体を開くための隙間が形成されることを特徴とする請求項１記載の電子機器。
【請求項８】
前記蓋体は、前記収容凹部を閉塞する閉塞状態と、前記収容凹部を開放する開放状態とをとるように構成され、前記ケースには前記収容凹部の周囲に、前記閉塞状態で前記蓋体を収容しその外面を前記ケースと連続状に延在させる蓋体収容用の凹部が設けられ、前記蓋体は長さを有し、前記蓋体の裏面で前記長さ方向の一端に支軸が突設されるとともに、長さ方向の他端に係合爪が突設され、前記支軸は、前記蓋体収容用の凹部に設けられた結合部に、回転可能かつ該支軸の長さ方向に移動可能かつ該支軸の長さ方向に抜落不能に前記ケースの結合部に結合され、前記係合爪は前記収容凹部内の係合部に係脱可能に形成され、前記閉塞状態で、前記係合爪が前記係合部に係合されて前記蓋体の外面が前記ケースと連続状に延在し、前記開放状態で、前記支軸が前記結合部内において抜ける方向に移動し前記蓋体が前記支軸を中心にして１８０度旋回して前記収容凹部に隣接する前記ケースの箇所上に位置するように構成されていることを特徴とする特徴とする請求項１記載の電子機器。
【請求項９】
前記電子機器側コネクタは、相手方のアクセサリー側コネクタが前記収容凹部の深さ方向に向けて挿入された後、前記収容凹部の長さ方向に移動されることで相手方のアクセサリー側コネクタが装着されるように構成されていることを特徴とする請求項１記載の電子機器。
【請求項１０】
前記電子機器側コネクタは、電源用または信号授受用の接片を有する相手方のアクセサリー側コネクタが装脱されるものであり、
前記電子機器側コネクタは、同一面上で延在してそれらの縁部が互いに対向する一対の係止板と、前記互いに対向する一対の係止板の縁部の間に前記対向する方向と直交する方向に延在形成されたガイド溝と、各係止板の下面に臨むように設けられた空間部とを備え、
前記互いに対向する係止板の縁部には、前記互いに対向する係止板の縁部が離れる方向に窪む第１凹部と、前記互いに対向する係止板の縁部が近づく方向に突出する第１凸部と、前記互いに対向する係止板の縁部が離れる方向に窪む第２凹部と、前記互いに対向する係止板の縁部が近づく方向に突出する第２凸部とが前記ガイド溝の延在方向にそれらの順番で設けられ、
前記アクセサリー側コネクタは、長さを有しその長さ方向の先部に前記接片が設けられた軸部を備え、
前記軸部の先部の両側には、前記第１凹部から前記空間部に挿入され前記空間部内で前記ガイド溝の延在方向に沿って移動可能な第１係止片と、前記第２凹部から前記空間部に挿入され前記空間部内で前記ガイド溝の延在方向に沿って移動可能な第２係止片とが設けられ、
前記電子機器側コネクタの接片は、前記第1係止片および第２係止片が前記第１凸部と第２凸部の下面に当接した状態で前記アクセサリー側コネクタの接片に接触するように設けられ、
前記軸部の先部が前記ガイド溝に挿入された状態で前記係止板の上方の前記軸部箇所に回転可能に操作リングが設けられ、
前記軸部の両側に前記操作リングの回転操作により前記軸部の長さ方向に移動する締め付けブロックが設けられ、
前記締め付けブロックは、前記第1係止片および第２係止片が前記第１凸部と第２凸部の下面に当接した状態で前記第１凸部と前記第２凸部の上面に当接し前記第１係止片および前記第２係止片と協働して前記第１凸部と前記第２凸部を締め付け固定する締め付け部と、前記第１凸部と第２凸部の間の第２凹部に挿入され前記軸部の前記ガイド溝の延在方向に沿った移動を阻止する移動阻止部とを有する、
ことを特徴とする請求項１記載の電子機器。
【請求項１１】
前記軸部の先部で前記第１係止片と第２係止片との間の箇所には、前記第１係止片が前記第１凹部を通って前記空間部に位置し前記第２係止片が第２凹部を通って前記空間部に位置した状態で第１凹部内に位置し、前記空間部内で第１係止片および第２係止片が前記第１凸部と第２凸部の下面方向に移動する際に前記第１凸部の先端に弾接し、かつ、前記第１係止片および第２係止片が前記第１凸部と第２凸部の下面に位置した状態で前記第２凹部内に位置するばね片が設けられていることを特徴とする請求項１０記載の電子機器。
【請求項１２】
前記第１係止片および第２係止片が前記第１凸部と第２凸部の下面に位置した状態で前記ばね片は、前記第１凸部寄りの第２凹部の端部に弾接することを特徴とする請求項１１記載の電子機器。
【発明の詳細な説明】
【技術分野】
【０００１】
本発明はアクセサリーが装脱可能に装着される電子機器に関する。
【背景技術】
【０００２】
デジタルカメラやビデオカメラなどの撮像装置（以下電子機器という）には、多くの場合、補助光を発光するためのフラッシュライトや音声を収録するためのマイクなどのアクセサリーを装着するための電子機器側コネクタが設けられ、電子機器側コネクタには電源用または信号授受用の接片が設けられている（例えば特許文献１、特許文献２）。
このような電子機器側コネクタは、従来、電子機器の外装を構成するケースの外面に露出して設けられている。
【特許文献１】特開平９−１６３２００号公報
【特許文献２】特開平９−１６６８１６号公報
【発明の開示】
【発明が解決しようとする課題】
【０００３】
このように従来の電子機器では、電子機器側コネクタがケースの外面に露出しているため、電子機器の外部にある物が電子機器側コネクタにぶつかったり、あるいは、塵埃が電子機器側コネクタに付着したりおそれがあり、電子機器側コネクタを保護する上で不利があった。
また、電子機器側コネクタがケースの外面に露出していることから、ケースの美観を向上させる上で不利があった。
本発明はこのような事情に鑑みなされたものであり、その目的は、電子機器側コネクタの保護を図るとともに、電子機器の美観を向上させる上で有利な電子機器を提供することにある。
【課題を解決するための手段】
【０００４】
上述の目的を達成するため、本発明は、外装を構成するケースと、前記ケースに設けられ電源用または信号授受用の接片を有する電子機器側コネクタとを有する電子機器であって、前記ケースに前記電子機器側コネクタを収容する収容凹部が設けられ、前記収容凹部に前記電子機器側コネクタが収容され、前記収容凹部を開閉する蓋体が設けられていることを特徴とする。
【発明の効果】
【０００５】
そのため、本発明によれば、蓋体によって収容凹部が閉塞された状態では、電子機器側コネクタがケースの外面に露出せず、ビデオカメラの外部にある物が電子機器側コネクタにぶつかったり、あるいは、塵埃が電子機器側コネクタに付着したりすることを防止でき、電子機器側コネクタを保護する上で有利となる。また、電子機器側コネクタがケースの外面に露出しないので、ケースの美観を向上させる上で有利となる。
【発明を実施するための最良の形態】
【０００６】
電子機器のケースに電子機器側コネクタを収容する収容凹部と、収容凹部を開閉する蓋体とを設けることによって上記目的を実現した。
【実施例１】
【０００７】
次に本発明の実施例１について図面を参照して説明する。
本実施例では電子機器はビデオカメラ１００である。
図１は実施例１のビデオカメラ１００を前方から見た斜視図、図２はビデオカメラ１００を後方から見た斜視図である。
図３は電子機器側コネクタおよびアクセサリー側コネクタの斜視図である。
図４（Ａ）は蓋体が閉塞された状態を示す平面図、（Ｂ）は蓋体が開放された状態を示す平面図である。
図５は蓋体が閉塞された状態を示す断面図、図６（Ａ）は蓋体の係止が解除された状態を示す断面図、（Ｂ）は蓋体が閉塞された状態を示す断面図である。
図７は電子機器に設けられた電子機器側コネクタのシャッタが閉塞位置にある状態を示す斜視図、図８は電子機器に設けられた電子機器側コネクタのシャッタが開放位置にある状態を示す斜視図である。
図９（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図１０（Ｅ）は図９（Ｄ）のＥ矢視図、（Ｆ）は（Ｅ）のＦＦ線断面図である。
図１１はアクセサリーに設けられたアクセサリー側コネクタの斜視図、図１２はアクセサリー側コネクタの平面図、図１３は図１１のＡ矢視図、図１４は図１２のＢ矢視図、図１５は図１３のＣＣ線断面図である。
図１６は電子機器側コネクタにアクセサリー側コネクタが挿入された状態を示す断面図、図１７は電子機器側コネクタにアクセサリー側コネクタが装着された状態を示す断面図である。
図１８は電子機器側コネクタの上方にアクセサリー側コネクタを位置させた状態を示す斜視図、図１９は図１８のＡ矢視図、図２０は電子機器側コネクタにアクセサリー側コネクタが装着された状態を示す斜視図、図２１は図２０のＡ矢視図である。
【０００８】
図１、図２に示すように、本実施例において電子機器はビデオカメラ１００であり、外装を構成するケース１０２を有している。なお、本明細書において左右は、ビデオカメラ１００を前方から見た状態でいうものとし、また、光学系の光軸方向で被写体側を前方といい、撮像素子側を後方という。
ケース１０２は、左右方向の幅と、この幅よりも大きな寸法の上下方向の高さと、この高さよりも大きな寸法の前後方向の長さとを有している。
ケース１０２は、前方および後方に臨む前面１０２Ａおよび後面１０２Ｂと、上方および下方に臨む上面１０２Ｃおよび下面１０２Ｄと、左方および右方に臨む左側面１０２Ｅおよび右側面１０２Ｆとを有している。
ケース１０２の前面１０２Ａ上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面１０２Ｂ上部には前記撮像素子によって撮像された被写体像を視認するための電子式ファインダー１０８が設けられている。
ケース１０２の右側面１０２Ｆには前記撮像素子によって撮像された被写体像などを表示するためのディスプレイ１１０が開閉可能に設けられている。
ケース１０２の後面１０２Ｂ、上面１０２Ｃ、左側面１０２Ｅには、撮影スタートストップスイッチなどの操作スイッチ１０３Ａや種々の設定を行うための設定スイッチ１０３Ｂが設けられている。
ケース１０２には電子機器側コネクタ１０が設けられ、この電子機器側コネクタ１０を介してアクセサリー２００が装脱可能に装着される。
電子機器側コネクタ１０は、ケース１０２の上面１０２Ｃに設けられた収容凹部８０に配置されており、収容凹部８０は蓋体９０により開閉されるように構成されている。
【０００９】
まず、電子機器側コネクタ１０について説明する。
図７、図８に示すように、電子機器側コネクタ１０は、合成樹脂材料を用いて一体に型成形された内側部材１２と、鋼板が屈曲形成された外側部材１４とを備え、内側部材１２は外側部材１４の内側下部に嵌合固定されている。
外側部材１４は、底板部１４Ａと、底板部１４Ａの両側から起立する側板部１４Ｂと、側板部１４Ｂの上端から互いに向かい合う方向に屈曲形成された一対の上板部１４Ｃとを備えている。
電子機器側コネクタ１０は、電源用または信号授受用の接片１６と、一対の係止板２０と、対向する一対の係止板２０の間に形成されたガイド溝１８と、各係止板２０の下面に臨むように設けられた空間部２２とを備えている。
一対の係止板２０は一対の上板部１４Ｃにより形成され、同一面上で延在してそれらの縁部が互いに対向している。
ガイド溝１８は、互いに対向する一対の係止板２０の縁部の間に前記対向する方向と直交する方向に延在形成され、その延在方向の両端は開放されている。
互いに対向する係止板２０の縁部には、互いに対向する係止板２０の縁部が離れる方向に窪む第１凹部２００２（または係止板２０が切り欠かれた切り欠き２００２）と、互いに対向する係止板２０の縁部が近づく方向に突出する第１凸部２００４と、互いに対向する係止板２０の縁部が離れる方向に窪む第２凹部２００６と、互いに対向する係止板２０の縁部が近づく方向に突出する第２凸部２００８とがガイド溝１８の延在方向にそれらの順番で設けられている。
各第１凸部２００４の先端縁部と各第２凸部２００８の先端縁部はガイド溝１８の延在方向に平行して直線状に延在している。第１凸部２００４は、図９（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、アクセサリー側コネクタ４０（図６参照）が収容凹部８０の深さ方向に挿入され、その後、前記深さ方向と直交する方向に移動されるスペースであり、係止板２０の下方で両側板部１４Ｂの内側で内側部材１２の上方の空間である。
なお、実施例の説明において便宜上、アクセサリー側コネクタ４０を電子機器側コネクタ１０に装着する際、アクセサリー側コネクタ４０をガイド溝１８を通して空間部２２に挿入する方向（収容凹部８０の深さ方向）を挿入方向といい、アクセサリー側コネクタ４０を空間部２２に挿入したのち収容凹部８０の深さ方向と直交する方向にアクセサリー側コネクタ４０を空間部２２内で移動する方向、すなわちガイド溝１８の延在方向を装着方向といい、挿入方向の逆方向を取り出し方向といい、装着方向の逆方向を取り外し方向というものとする。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対のコネクタ側ガイド面２４が設けられている。この一対のコネクタ側ガイド面２４は、ガイド溝１８の延在方向と直交する方向、すなわちガイド溝１８の幅方向におけるアクセサリー側コネクタ４０の位置決めを行うものである。
【００１０】
図８に示すように、電子機器側コネクタ１０の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦な中間面１２０７が設けられ、この中間面１２０７は、第１凹部２００２と第１凸部２００４の下方で両側板部１４Ｂに沿った内側部材１２の箇所に延在している。
本実施例では、アクセサリー側コネクタ４０が空間部２２に挿入される際に、アクセサリー側コネクタ４０の先端面５００６（図１１参照）が中間面１２０７に当て付けられることで、空間部２２内においてアクセサリー側コネクタ４０の前記挿入方向の位置が規制されるように、言い換えると位置決めがなされるように構成されている。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。
【００１１】
電子機器側コネクタ１０の複数の接片１６について詳細に説明すると、図１０（Ｆ）に示すように、ケースには、細幅で細長状の金属板材からなる帯板状の複数のリード線１５が設けられ、各接片１６はそれらリード線１５の部分によって構成されている。
複数のリード線１５の一端が開口を介して接片取り付け面１２０６の上方に露出し接片１６として配置され、図９（Ａ）に示すように、各接片１６は長手方向が前記装着方向と一致して直線状に延在している。
電子機器側コネクタ１０の複数の接片１６は、図９（Ａ）に示すように、前記装着方向における端部がガイド溝１８の幅方向において直線上に位置するように並べられ、複数の接片１６のうちグランド電位に接続されるグランド接片１６０２は、他の信号接片１６０４に比較して長手方向の寸法が大きく形成されており、グランド接片１６０２の前記取り外し方向における端部は他の信号接片１６０４の端部よりも突出している。
このような各接片１６０２、１６０４のレイアウト（配置）は、アクセサリー側コネクタ４０を電子機器側コネクタ１０に装着する際に、図１１に示すように、アクセサリー側コネクタ４０の接片４８のうちグランド電位に接続されるグランド接片４８０２が、他の信号接片４８０４に先行して、電子機器側コネクタ１０のグランド接片１６０２に接続させ、アクセサリー２００とビデオカメラ１００の基準電位を最初にグランド電位にさせることで静電ノイズの影響を受けにくくするとともに、アクセサリーおよび電子機器の動作の安定化を図る目的でなされている。
また、本実施例では、２つのグランド接片１６０２が複数の接片１６のガイド溝１８の幅方向の両側に設けられている。
このような各接片１６０２、１６０４のレイアウト（配置）は、アクセサリー側コネクタ４０がガイド溝１８の延在方向に対して傾斜して挿入された場合であっても、幅方向両側のグランド接片１６０２の何れか一方が、これらグランド接片１６０２に対応するアクセサリー側コネクタ４０のグランド接片４８０２（図１１参照）の何れかに接触することで、アクセサリー２００とビデオカメラ１００の基準電位をより確実にグランド電位にさせ、静電ノイズの影響を受けにくくするとともに、アクセサリーおよび電子機器の動作のより一層の安定化を図る目的でなされている。
また、図１０（Ｆ）に示すように、各接片１６を除くリード線１５部分は内側部材１２内部に配設され、リード線１５の他端は、内側部材１２の前記装着方向の端部に開口された孔部１２０８内に導かれている。
図９（Ｃ）、図１０（Ｅ）、（Ｆ）に示すように、内側部材１２の底部および外側部材１４の底板部１４Ａには、孔部１２０８に通じるように欠部１４０２が設けられ、図１７に示すように、ビデオカメラ１００に設けられたフレキシブル基板１５０の接続端１５２が欠部１４０２を介して孔部１２０８に挿入され孔部１２０８内で接続端１５２が各接片１６の他端に電気的に接続されるとともに、各他端の弾性により、接続端１５２が各他端と孔部１２０８を構成する壁面との間に挟持される。
これにより、フレキシブル基板１５０を介してビデオカメラ１００内部の電子回路から各接片１６にアクセサリー２００を駆動するための電気信号が供給され、あるいは、各接片１６からビデオカメラ１００内部の電子回路にアクセサリー２００からの電気信号が供給されるように構成されている。
この際、図１７に示すように、外側部材１４の底板部１４Ａがビデオカメラ１００の凹部１１２の底面に取着される場合、外側部材１４に欠部１４０２が設けられているため、フレキシブル基板１５０を欠部１４０２内で屈曲させてビデオカメラ１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方にフレキシブル基板１５０を引き回すためのスペースを確保する必要がなく電子機器側コネクタ１０を取り付けるために必要なスペースを縮小する上で有利となる。
なお、図１０（Ｆ）において符号１２１１は外側部材１４の底面に突設された位置決め用のボスであり、このボス１２１１をビデオカメラ１００の凹部１１２（図１参照）の底面に設けられた孔に係合させることでアクセサリー側コネクタ４０の位置決めを行うようになっている。
【００１２】
本実施例では、図８に示すように、傾斜面１２０４は、アース電位に接続される接片１６０２に対応する傾斜面１２０４Ａと、他の接片１６０４に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａと、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
傾斜面１２０４はアクセサリー側コネクタ４０の接片４８を円滑に案内する機能を有している。
なお、各接片１６が、傾斜面１２０４と接片取り付け面１２０６との境の部分から前記装着方向に間隔をおいた接片取り付け面１２０６の箇所に設けられているのは、アクセサリー側コネクタ４０を電子機器側コネクタ１０に挿入して前記装着方向に移動させる際、アクセサリー側コネクタ４０の接片４８が前記間隔分だけ接片取り付け面１２０６と摺接することにより、アクセサリー側コネクタ４０の接片４８が接片１６に対して安定した状態で接触させるためであり、したがって、接片取り付け面１２０６上において、傾斜面１２０４と接片取り付け面１２０６との境の部分から各接片１６の前記取り外し方向の端部までの箇所は、アクセサリー側コネクタ４０の接片４８の滑走面として機能する。
【００１３】
また、空間部２２の底部を形成する内側部材１２の箇所で一対のコネクタ側ガイド面２４の間の箇所に、具体的には中間面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図７、図１６）に付勢するスプリング（不図示）が設けられ、カバー２６は、前記装着方向への移動時にアクセサリー側コネクタ４０の軸部５０の箇所である起立面６０（図１１参照）に当接して軸部５０により接片１６を開放する開放位置（図８、図１７）に移動されるように構成されている。
また、前記取り外し方向における中間面１２０７の端部には、ガイド溝１８の幅方向に沿って当接面１２１０が延在形成されている。
本実施例では、アクセサリー側コネクタ４０が空間部２２に挿入される際に、アクセサリー側コネクタ４０の起立面６０（図１１参照）が当接面１２１０に当て付けられることで、空間部２２内においてアクセサリー側コネクタ４０の前記装着方向の位置が規制されるように、言い換えると位置決めがなされるように構成されている。
【００１４】
図７、図８に示すように、内側部材１２の底面１２０２におけるガイド溝１８の幅方向両側箇所には、コネクタ側ガイド面２４に沿って延在する凹部１２２０が設けられ、アクセサリー側コネクタ４０の挿入時にこの凹部１２２０にガイド壁５８（図１１参照）の先端が収容される。
凹部１２２０の前記取り外し方向の端部には凹部１２２０の前記取り外し方向の端部を閉塞する壁部１２２２が設けられ、この壁部１２２０の上面は底面１２０２と同一面上に位置している。
これにより、アクセサリー側コネクタ４０の軸部５０（図１１参照）を電子機器側コネクタ１０の前記取り外し方向に臨む箇所から前記装着方向に挿入しようとしても、軸部５０のガイド壁５８が壁部１２２２に当接して前記装着方向への挿入が禁止されるように構成されている。
したがって、アクセサリー側コネクタ４０の軸部５０を電子機器側コネクタ１０の前記取り外し方向に臨む箇所から前記装着方向に挿入するといった誤った操作を禁止することができるように構成されている。
これにより、アクセサリー側コネクタ４０を電子機器側コネクタ１０に装着する際に、アクセサリー側コネクタ４０をガイド溝１８の間から空間部２２に挿入するという操作のみを許容することができるので、アクセサリー２００をビデオカメラ１００に装着する際の操作方法を１つに限定でき使い勝手を向上させることができるように構成されている。
【００１５】
次にアクセサリー２００について説明する。
図１に示すように、本実施例においてアクセサリー２００はビデオカメラ１００で撮影する被写体に対して照明光を照射するビデオライトである。
アクセサリー２００はケース２０２を有し、ケース２０２の内部には光源（不図示）が設けられ、ケース２０２が前方に臨む箇所に設けられた窓２０６から前記光源の光が照射されるように構成されている。
ケース２０２の下面には、下方に突出する円柱状の軸部材４２がケース２０２と一体的に設けられている。
【００１６】
図３、図１１に示すように、軸部材４２の長さ方向の先部（下端）には断面形状が軸部材４２より小さい角柱状で軸部材４２と同軸上で延在する軸部５０が設けられ、アクセサリー側コネクタ４０は軸部５０に設けられている。
軸部５０は非導電性の合成樹脂材料で構成されている。
軸部５０の先部の両側の側面は、ガイド溝１８に対して円滑に挿脱できるように、ガイド溝１８の最も内側の縁を構成する一対の第１凸部２００４の先端間の寸法および一対の第２凸部２００８の先端間の寸法よりも僅かに小さい寸法で形成されている。
軸部５０の先部の両側の側面には、電子機器側コネクタ１０の第１凹部２００２から空間部２２に挿入され空間部２２内で前記装着方向に沿って移動可能な第１係止片５００２と、電子機器側コネクタ１０の第２凹部２００６から空間部２２に挿入され空間部２２内で前記装着方向に沿って移動可能な第２係止片５００４とが互いに間隔をおいて突出形成されている。
本実施例では、第１、第２係止片５００２、５００４の前記装着方向の延在長さは軸部５０の前記装着方向の寸法の約１／３程度に形成されている。
【００１７】
図１３〜図１５に示すように、軸部５０の先部の両側の側面で第１係止片５００２と第２係止片５００４との間の箇所にはばね片５２がそれぞれ湾曲状に突出しており、ばね片５２は薄板状のばね鋼板が軸部５０の内部に組み込まれることで配設されている。
ばね片５２は、第１係止片５００２および第２係止片５００４よりも軸部５０の基部寄りに変位した箇所に設けられ、ばね片５２は、第１係止片５００２が第１凹部２００２を通って空間部２２に位置し第２係止片５００４が第２凹部２００４を通って空間部２２に位置した状態で第１凹部２００２内に位置し、空間部２２内で第１係止片５００２および第２係止片５００４が第１凸部２００４と第２凸部２００８の下面方向に移動する際に第１凸部２００４の先端に弾接し、かつ、第１係止片５００２および第２係止片５００４が第１凸部２００４と第２凸部２００８の下面に位置した状態で第２凹部２００８内に位置し、アクセサリー２００を装着操作するユーザーにクリック感を与えるように構成されている。本実施例では、空間部２２で第１係止片５００２および第２係止片５００４が前記装着方向に移動し第１凸部２００４と第２凸部２００８の下面に位置した状態で第１凸部２００４寄りの第２凹部２００６の端部に弾接し、この位置にアクセサリー２００を仮止めするように構成されている。
【００１８】
また、軸部５０の先端には先端面５００６が設けられ、先端面５００６は軸部５０が空間部２２に挿入される際に電子機器側コネクタ１０の中間面１２０７に当接し、空間部２２内においてアクセサリー側コネクタ４０の前記挿入方向の位置が規制されるように、言い換えると位置決めがなされるように構成されている。
本実施例では、両側の第１係止片５００２の基端から互いに対向するように一対のガイド壁５８が軸部５０の長手方向（前記挿入方向）に突出形成され、一対のガイド壁５８の外側面は一対のコネクタ側ガイド面２４に摺動可能なアクセサリーガイド面５４として形成され、アクセサリーガイド面５４がコネクタ側ガイド面２４に接触することで、空間部２２内におけるガイド溝１８の幅方向におけるアクセサリー側コネクタ４０の位置決めが行われる。
【００１９】
また、本実施例では、アクセサリー側コネクタ４０の軸部５０が電子機器側コネクタ１０の空間部２２に挿入される際に、空間部２２に対する軸部５０の前記装着方向に沿った向きが逆向きであった場合には、アクセサリー側コネクタ４０の一対のガイド壁５８が電子機器側コネクタ１０の中間面１２０７に当接され、逆向きでの挿入が禁止されている。
軸部５０の先端で一対のガイド壁５８の基部の間の箇所に先端面５００２と平行する平坦な接片取り付け面５６が設けられ、接片取り付け面５６は、先端面５００６よりも先端方向に変位しており、接片取り付け面５６と先端面５００６との間にはそれらの面５６、５００６に直交する起立面６０が形成されている。
アクセサリー側コネクタ４０の複数の接片４８は接片取り付け面５６に設けられ、一対のガイド壁５８方向に互いに間隔を置いて直線状に並べられて配置されている。
起立面６０は、軸部５０が電子機器側コネクタ１０の空間部２２に挿入され前記装着方向へ移動される際にカバー２６の端面に当接するように構成されている。
また、軸部５０が電子機器側コネクタ１０の空間部２２に挿入され空間部２２内で前記装着方向に移動されることで第１係止片５００２および第２係止片５００４が第１凸部２００４と第２凸部２００８の下面に位置し、この状態で、アクセサリー側コネクタ４０の複数の接片４８と電子機器側コネクタ１０の複数の接片１６が接触するように構成されている。
そして、ビデオカメラ１００からこれら接片１６、４８を介してアクセサリー２００内部の電子回路にアクセサリー２００を駆動するための電気信号が供給され、あるいは、これら接片１６、４８を介してアクセサリー２００内部の電子回路からの電気信号がビデオカメラ１００に供給されるように構成されている。
【００２０】
軸部５０の先部がガイド溝１８に挿入された状態で係止板２０の上方の軸部５０箇所に回転可能に環状の操作リング４４が設けられている。本実施例では、軸部材４２と軸部５０との間の箇所に溝が設けられ、この溝に操作リング４４は回転可能に配設されている。
軸部５０の両側に操作リング４４の回転操作により軸部５０の長さ方向に移動する、すなわち上下方向に移動する締め付けブロック７０が設けられている。
締め付けブロック７０は、軸部５０の延在方向と平行に延在する縦板部７００２と、縦板部７００２の下端に設けられ第1係止片５００２および第２係止片５００４が第１凸部２００４と第２凸部２００８の下面に当接した状態で第１凸部２００４と第２凸部２００８の上面に当接し第1係止片５００２および第２係止片５００４と協働して第１凸部２００４と第２凸部２００８を締め付け固定する締め付け部７００４と、第１凸部２００４と第２凸部２００８の間の第２凹部２００６に挿入され軸部５０のガイド溝１８の延在方向に沿った移動を阻止する移動阻止部７００６とを有している。
締め付け部７００４はガイド溝１８の延在方向に長辺を有する直方体状を呈し、縦板部７００２よりも断面が大きい寸法で形成されている。
移動阻止部７００６は締め付け部７００４の下面から直方体状に膨出形成され、第１凸部２００４と第２凸部２００８の間に挿入される寸法、すなわち第２凹部２００６に挿入される寸法で形成されている。
なお、締め付けブロック７０の配設は、例えば軸部５０に設けた凹部に縦板部７００２を該軸部５０の長手方向にのみ移動可能に挿入し、締め付けブロック７０の内周の雌ねじを縦板部７００２の外面の雄ねじに螺合させるなど、従来公知の様々な機構、構造が用いられる。
【００２１】
次に電子機器側コネクタ１０およびアクセサリー側コネクタ４０の使用方法について説明する。
ビデオカメラ１００にアクセサリー２００を装着する場合には、蓋１１４を取り外して電子機器側コネクタ１０をケース１０２の外部に露出させる。
そして、図１８、図１９に示すように、アクセサリー側コネクタ４０の先端面５００６を電子機器側コネクタ１０の中間面１２０７に臨ませ、アクセサリー側コネクタ４０の第１係止片５００２を電子機器側コネクタ１０の第１凹部２００２に臨ませ、かつ、アクセサリー側コネクタ４０の第２係止片５００４を電子機器側コネクタ１０の第２凹部２００６に臨ませ、この状態でアクセサリー側コネクタ４０の軸部５０を電子機器側コネクタ１０のガイド溝１８の間に挿入し、これによりアクセサリー側コネクタ４０の両側のアクセサリーガイド面５４がコネクタ側ガイド面２４に接触し、空間部２２内におけるガイド溝１８の幅方向におけるアクセサリー側コネクタ４０の位置決めが行われる。
このようなアクセサリー側コネクタ４０の挿入により、図１６に示すように、アクセサリー側コネクタ４０の第１係止片５００２は第１凹部２００２を通って空間部２２に位置し、第２係止片５００４は第２凹部２００６を通って空間部２２に位置し、また、アクセサリー側コネクタ４０の先端面５００６が電子機器側コネクタ１０の中間面１２０７に当接し、アクセサリー側コネクタ４０のばね片５２が第１凹部２００２内に位置する。
【００２２】
次いで、図１７に示すように、軸部５０を前記装着方向に移動させると、ばね片５２は、軸部５０の前記装着方向への移動に伴い第１凸部２００４の先端に弾接して軸部５０の側面に僅かに没入され、第１凸部２００４の先端に弾接しつつ軸部５０と一体に移動する。
やがて、第１係止片５００２および第２係止片５００４が第１凸部２００４と第２凸部２００８の下面に位置した状態でばね片５２は第２凹部２００６内に突出し、アクセサリー側コネクタ４０の起立面６０が電子機器側コネクタ１０の当接面１２１０に当接し、前記装着方向における位置決めがなされる。本実施例では、第１係止片５００２および第２係止片５００４が第１凸部２００４と第２凸部２００８の下面に位置した状態で、ばね片５２は、第１凸部２００４寄りの第２凹部２００６の端部に弾接する。
そして、軸部５０の前記装着方向への移動により、アクセサリー側コネクタ４０の起立面６０により電子機器側コネクタ１０のカバー２６が前記開放位置に移動されるとともに、アクセサリー側コネクタ４０の各接片４８が傾斜面１２０４および接片取り付け面１２０６に摺接したのち電子機器側コネクタ１０の各接片１６にそれぞれ接続され電気的に導通する。
次いで、操作リング４４を回動させると、締め付けブロック７０が下降し、移動阻止部７００６が第１凸部２００４と第２凸部２００８の間の第１凹部２００６に挿入され、軸部５０のガイド溝１８の延在方向に沿った移動が阻止される。
また、締め付けブロック７０の下降に伴い、図２０、図２１に示すように、第1係止片５００２および第２係止片５００４が第１凸部２００４と第２凸部２００８の下面に当接するとともに、締め付け部７００４の下面が第１凸部２００４と第２凸部２００８の上面に当接し、第1係止片５００２および第２係止片５００４と協働して第１凸部２００４と第２凸部２００８を締め付け固定し、アクセサリー２００がビデオカメラ１００に装着される。
これによりアクセサリー２００による撮影と、ビデオカメラ１００による撮影とを同時に行うことが可能となる。なお、アクセサリー２００で生成された撮像信号はアクセサリー側コネクタ４０から電子機器側コネクタ１０を介してビデオカメラ１００に伝達され、ビデオカメラ１００では伝達された前記撮像信号に対して必要な信号処理を行う。
【００２３】
ビデオカメラ１００からアクセサリー２００を取り外す場合には、操作リング４４を回動させることで、締め付けブロック７０を上昇させ、移動阻止部７００６を第１凹部２００６から上方に抜き出し、また、締め付け部７００４を上昇させ、第1係止片５００２および第２係止片５００４との協働による第１凸部２００４と第２凸部２００８の締め付け固定を解除する。
次いでアクセサリー側コネクタ４０の軸部５０を前記取り外し方向に動かすと、第１係止片５００２と第２係止片５００４が空間部２２に位置した状態で移動され、第１係止片５００２は第１凹部２００２の下方に位置し、第２係止片５００４は第２凹部２００４の下方に位置し、ばね片５２は、第２凹部から第１凸部の先端に弾接して軸部５０の側面に僅かに没入され、第１凸部２００４の先端に弾接しつつ軸部５０と一体に移動し、第１凹部２００２内に突出する。軸部５０の前記取り出し方向への移動により、アクセサリー側コネクタ４０の各接片４８と電子機器側コネクタ１０の各接片１６とが離間され電気的な導通が解除され、カバー２６は開放位置から閉塞位置に復帰される。
この状態でアクセサリー側コネクタ４０の軸部５０を前記取り出し方向に動かすと、アクセサリー側コネクタ４０の第１係止片５００２は第１凹部２００２を通り、第２係止片５００４は第２凹部２００６を通って空間部２２から上方に移動され、アクセサリー側コネクタ４０の軸部５０が電子機器側コネクタ１０から離間され、アクセサリー２００がビデオカメラ１００から取り外される。
【００２４】
このような構成によれば、電子機器側コネクタ１０にアクセサリー側コネクタ４０を装着する際に、アクセサリー側コネクタ４０の第１係止片５００２は第１凹部２００２を通り、第２係止片５００４は第２凹部２００６を通って空間部２２に位置させたのち、アクセサリー側コネクタ４０の軸部５０を前記装着方向に動かすことで第１係止片５００２を第１凸部２００４の下面に位置させ、第２係止片５００４を第２凸部２００８の下面に位置させた状態で電子機器側コネクタ１０の複数の接片１６にアクセサリー側コネクタ４０の複数の接片４８が接触する。
ここで、アクセサリー側コネクタ４０を電子機器側コネクタ１０に装着するために必要なスペースの前記装着方向の寸法Ｓを考えると、本実施例では、第１、第２係止片５００２、５００４の前記装着方向の延在長さが軸部５０の前記装着方向の寸法の約１／３であるため、前記寸法Ｓは前記装着方向に沿ったアクセサリー側コネクタ４０の寸法（軸部５０の寸法）Ｌと、第１、第２係止片５００２、５００４の前記装着方向の寸法約Ｌ／３との和、すなわち寸法Ｓは約（Ｌ＋Ｌ／３）で済むことになる。
したがって、アクセサリー側コネクタ４０を電子機器側コネクタ１０に装着するために必要なスペースを、前記装着方向に沿ったアクセサリー側コネクタ４０の寸法と、第２係止片５００４の前記装着方向の寸法との和で済むことになる。
これに対してアクセサリー側コネクタ４０を電子機器側コネクタ１０の輪郭の外側から装着する場合には、前記寸法Ｓは前記装着方向に沿ったアクセサリー側コネクタ４０の寸法Ｌの２倍である２Ｌ必要となる。
したがって、本実施例では、このような場合と比較して電子機器側コネクタ１０の周囲にアクセサリー側コネクタ４０を装着させるための広いスペースを確保する必要がなく、ビデオカメラ１００およびアクセサリー２００の小型化を図る上で、あるいは、ビデオカメラ１００およびアクセサリー２００のデザイン性を向上させる上で極めて有利となる。
また、操作リング４４を回動させることで、締め付け部７００４が第１凸部２００４と第２凸部２００８の上面に当接し第1係止片５００２および第２係止片５００４と協働して第１凸部２００４と第２凸部２００８を締め付け固定するとともに、移動阻止部７００６が第１凸部２００４と第２凸部２００８の間の第１凹部２００６に挿入され軸部５０のガイド溝１８の延在方向に沿った移動を阻止するので、アクセサリー側コネクタ４０を電子機器側コネクタ１０に対して強固に装着することができる。
したがって、ガイド溝１８の延在方向に沿った外力がアクセサリー側コネクタ４０に加わった場合に、アクセサリー側コネクタ４０が電子機器側コネクタ１０から脱落することを確実に防止する上で有利となる。
【００２５】
また、アクセサリー側コネクタ４０の第１係止片２００４に係止し第１係止片２００４により挟持される電子機器側コネクタ１０の第１凸部２００４を、すなわちアクセサリー側コネクタ４０を固定するための第１凸部２００４を、アクセサリー側コネクタ４０のばね片５２が弾接することでクリック感を発生させる部材として共用したので、部品点数の増加を抑制できコストダウンを図る上で有利となる。
また、アクセサリー側コネクタ４０の接片４８と電子機器側コネクタ１０の接片１６とが接続した状態で、ばね片５２が第１凸部２００４の端部に弾接するようにし、アクセサリー側コネクタ４０の仮止めを行うようにしたので、アクセサリー側コネクタ４０を固定するための第１凸部２００４を、アクセサリー側コネクタ４０の仮止めを行う部材として共用でき部品点数の増加を抑制できコストダウンを図る上で有利となる。
【００２６】
次に本発明の要部である収容凹部８０および蓋体９０について説明する。
図３、図４、図５、図６に示すように、収容凹部８０はケース１０２の上面１０２Ｃの後部寄り箇所に設けられ、収容凹部８０を開閉するように蓋体９０が設けられている。
蓋体９０は、収容凹部８０を閉塞する閉塞状態と、収容凹部８０を開放する開放状態とをとるように構成されている。
本実施例では、図４（Ｂ）、図５に示すように、収容凹部８０は深さと、ケース１０２の長さ方向に沿った方向の長さと、この長さよりも小さい寸法の幅とを有し、平面視した場合、矩形を呈している。
収容凹部８０の底面８００５に電子機器側コネクタ１０が取着されている。
電子機器側コネクタ１０は、そのガイド溝１８の延在方向がケース１０２の長さ方向に合致され、かつ、前記装着方向がケース１０２の前方から後方に向かう方向となるように、底面８００５に取着され、収容凹部８０内に電子機器側コネクタ１０の第１凹部２００２、第１凸部２００４、第２凹部２００６、第２凸部２００８などが露出している。
また、収容凹部８０の周囲に、閉塞状態で蓋体９０が収容され蓋体９０の外面９００２とケース１０２の上面１０２Ｃとが連続状に延在するように、蓋体９０収容用の凹部８００２が設けられ、この凹部８００２は平面視した場合、ほぼ楕円形を呈し、図４（Ｂ）、図６において符号８００４はこの凹部８００２の側面を示している。
図４(Ｂ)、図５に示すように、収容凹部８０の前方寄りの側面箇所には、収容凹部８０の内側に突出する第１の係合部８００８が形成されている。
凹部８００２の前方寄りで幅方向の中央箇所には、蓋体９０をケース１０２に取り付けるための結合部８２が設けられている。
結合部８２は上下に延在する軸受け孔８２０１と、軸受け孔８２０１の上端に径方向内側に突出形成された第２の係合部８２０２とを有している。
【００２７】
図４、図５、図６に示すように、蓋体９０は、幅と、幅よりも大きな寸法の長さと、幅よりも小さい寸法の厚さとを有し、厚さ方向の一方に位置する外面９００２と厚さ方向の他方に位置する裏面９００４を有している。
蓋体９０は、収容凹部８０を閉塞可能で、かつ、閉塞状態で凹部８００２に収容され蓋体９０の外面９００２とケース１０２の上面１０２Ｃとが連続状に延在する大きさで形成され、平面視した場合、ほぼ楕円形を呈している。
図５、図６（Ａ）に示すように、蓋体９０の閉塞状態で、蓋体９０の長さ方向の一端と凹部８００２の側面８００４との間には、閉塞状態で指先（あるいは爪）を掛け蓋体９０を開けるための空間９００５が形成されている。
蓋体９０の裏面９００４で長さ方向の一端寄りの箇所には、第１の係合爪９００６が厚さ方向に突設されている。この第１の係合爪９００６は、蓋体９０の閉塞状態で第１の係合部８００８に係合する。
蓋体９０の裏面９００４で長さ方向の他端寄りの箇所には、支軸９２が厚さ方向に突設され、支軸９２の先端には支軸９２の径方向外方に突出する第２の係合爪９２０２が形成されている。この支軸９２は、結合部８２の軸受け孔８２０１に挿入され、支軸９２はその長さ方向に移動可能に、かつ、支軸９２を中心に回動可能に結合され、係合爪９２０２が結合部８２の第２の係合部８２０２に係合することで、軸受け孔８２０１から支軸９２の長さ方向に抜落不能に結合部８２に結合される。
これにより、図４、図５に示すように、蓋体９０は、その外面９００２がケース１０２の上面１０２Ｃと連続状に延在し収容凹部８０を閉塞する閉塞状態と、図６（Ｂ）に示すように、支軸９２が結合部８２内において抜ける方向に移動し蓋体９０が支軸９２を中心にして１８０度旋回して収容凹部８０に隣接する上面１０２Ｃ上に位置し収容凹部８０を開放する開放状態とをとるように構成されている。
そして、蓋体９０は、前記閉塞状態で、第１の係合爪９００６が収容凹部８０の第１の係合部８００８に係合し、かつ、蓋体９０の裏面９００４の外周が凹部８００２に当接することでこの閉塞状態を保持するように構成されている。
【００２８】
次に、蓋体９０による収容凹部８０の開閉操作について説明する。
まず、閉塞状態にある蓋体９０を開放する操作について説明する。
図４（Ａ）、図５に示すように、ユーザは、指の先を蓋体９０と凹部８００２の間の空間９００５に挿入し指の先を蓋体９０の縁に引っ掛けて上方に蓋体９０を移動させる。
これにより、蓋体９０は、図６に示すように、第１の係合爪９００６と第１の係合部８００８との係合が解除され、収容凹部８０の上方に動かされる。
この際、支軸９２は結合部８２から抜ける方向に移動するが、支軸９２の第２の係合爪９２０２が結合部８２の第２の係合部８２０２に係合しているので、蓋体９０はケース１０２から外れない。
次いで、図４（Ｂ）、図６（Ｂ）に示すように、蓋体９０を支軸９２回りに１８０度旋回させ、蓋体９０を開放状態とする。
蓋体９０の開放状態で、前述した手順により、図３に示すように、アクセサリー２００のアクセサリー側コネクタ４０を前記挿入方向、すなわち、収容凹部８０の深さ方向に向けて挿入し、次いで、アクセサリー側コネクタ４０を前記装着方向、すなわち、収容凹部８０の長さ方向に移動させることでアクセサリー側コネクタ４０を電子機器側コネクタ１０に装着することができる。
また、アクセサリー側コネクタ４０が電子機器側コネクタ１０に装着された状態で、アクセサリー側コネクタ４０を前記装着方向と逆方向の取り外し方向、すなわち、収容凹部８０の長さ方向に移動させ、次いで、アクセサリー２００のアクセサリー側コネクタ４０を前記挿入方向と逆方向の取り出し方向、すなわち、収容凹部８０の深さ方向に抜去することでアクセサリー側コネクタ４０を電子機器側コネクタ１０から取り外すことができる。
【００２９】
次に、開放状態にある蓋体９０を閉塞する操作について説明する。
まず、ユーザは、図６（Ｂ）に示すように、開放状態にある蓋体９０を１８０度旋回させ、図６（Ａ）に示すように、蓋体９０が収容凹部８０の上方に位置させた状態とする。
この状態で、蓋体９０の外面９００２を下方に押圧することで、第１の係合爪９００６が第１の係合部８００８と係合し、蓋体９０の裏面９００４の外周が底面８００２に当接され、蓋体９０は閉塞状態となる。
【００３０】
本実施例によれば、ビデオカメラ１００のケース１０２に電子機器側コネクタ１０を収容する収容凹部８０を設けるとともに、収容凹部８０を開閉する蓋体９０を設けたので、蓋体９０によって収容凹部８０が閉塞された状態では、電子機器側コネクタ１０がケース１０の外面に露出せず、ビデオカメラ１００の外部にある物が電子機器側コネクタ１０にぶつかったり、あるいは、塵埃が電子機器側コネクタ１０に付着したりすることを防止でき、電子機器側コネクタ１０を保護する上で有利となる。
また、電子機器側コネクタ１０がケース１０２の外面に露出しないので、ケース１０２の美観を向上させる上で有利となる。
また、本実施例では、蓋体９０はケース１０２に取り外し不能に取着されているので、蓋体９０の紛失を防止する上で有利である。
また、本実施例では、蓋体９０は、支軸９２がその長さ方向に移動可能に、かつ、支軸９２を中心に回動可能に結合部８２に結合されているので、蓋体９０を容易に開閉することができ操作性を向上させる上で有利となる。
【００３１】
なお、実施例では、電子機器がビデオカメラである場合について説明したが、本発明の電子機器はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラやフィルム式カメラなどであってもよいことはもちろんである。
【図面の簡単な説明】
【００３２】
【図１】実施例１のビデオカメラ１００を前方から見た斜視図である。
【図２】ビデオカメラ１００を後方から見た斜視図である。
【図３】電子機器側コネクタおよびアクセサリー側コネクタの斜視図である。
【図４】（Ａ）は蓋体が閉塞された状態を示す平面図、（Ｂ）は蓋体が開放された状態を示す平面図である。
【図５】蓋体が閉塞された状態を示す断面図である。
【図６】（Ａ）は蓋体の係止が解除された状態を示す断面図、（Ｂ）は蓋体が閉塞された状態を示す断面図である。
【図７】電子機器に設けられた電子機器側コネクタのシャッタが閉塞位置にある状態を示す斜視図である。
【図８】電子機器に設けられた電子機器側コネクタのシャッタが開放位置にある状態を示す斜視図である。
【図９】（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
【図１０】（Ｅ）は図９（Ｄ）のＥ矢視図、（Ｆ）は（Ｅ）のＦＦ線断面図である。
【図１１】アクセサリーに設けられたアクセサリー側コネクタの斜視図である。
【図１２】アクセサリー側コネクタの平面図である。
【図１３】図１１のＡ矢視図である。
【図１４】図１２のＢ矢視図である。
【図１５】図１３のＣＣ線断面図である。
【図１６】電子機器側コネクタにアクセサリー側コネクタが挿入された状態を示す断面図である。
【図１７】電子機器側コネクタにアクセサリー側コネクタが装着された状態を示す断面図である。
【図１８】電子機器側コネクタの上方にアクセサリー側コネクタを位置させた状態を示す斜視図である。
【図１９】図１８のＡ矢視図である。
【図２０】電子機器側コネクタにアクセサリー側コネクタが装着された状態を示す斜視図である。
【図２１】図２１は図２０のＡ矢視図である。
【符号の説明】
【００３３】
１０……電子機器側コネクタ、８０……収容凹部、９０……蓋体、１００……ビデオカメラ、１０２……ケース。
【図１】
2006179393.tif 000003
【図２】
2006179393.tif 000004
【図３】
2006179393.tif 000005
【図４】
2006179393.tif 000006
【図５】
2006179393.tif 000007
【図６】
2006179393.tif 000008
【図７】
2006179393.tif 000009
【図８】
2006179393.tif 000010
【図９】
2006179393.tif 000011
【図１０】
2006179393.tif 000012
【図１１】
2006179393.tif 000013
【図１２】
2006179393.tif 000014
【図１３】
2006179393.tif 000015
【図１４】
2006179393.tif 000016
【図１５】
2006179393.tif 000017
【図１６】
2006179393.tif 000018
【図１７】
2006179393.tif 000019
【図１８】
2006179393.tif 000020
【図１９】
2006179393.tif 000021
【図２０】
2006179393.tif 000022
【図２１】
2006179393.tif 000023